(57)【特許請求の範囲】
【請求項１】
物体側から像側へ順に、ズーミングのためには不動の正の屈折力の第１レンズ群と、ズーミングのために光軸上を移動する負の屈折力の第２レンズ群および負の屈折力の第３レンズ群と、ズーミングのためには不動の正の屈折力の後レンズ群とからなり、または、
物体側から像側へ順に、ズーミングのためには不動の正の屈折力の第１レンズ群と、ズーミングのために光軸上を移動する負の屈折力の第２レンズ群、負の屈折力の第３レンズ群および正の屈折力の第４レンズ群と、ズーミングのためには不動の正の屈折力の後レンズ群とからなり、または、
物体側から像側へ順に、ズーミングのためには不動の正の屈折力の第１レンズ群と、ズーミングのために光軸上を移動する負の屈折力の第２レンズ群、正の屈折力の第３レンズ群および正の屈折力の第４レンズ群と、ズーミングのためには不動の負の屈折力の後レンズ群とからなり、
隣り合うレンズ群の組のいずれもズーミングのために間隔が変化するズームレンズであって、
前記第１レンズ群は、物体側から像側へ順に、フォーカシングのためには不動の第１１群と、フォーカシングのために移動する第１２群とを含み、
前記第１１群は、物体側から像側へ順に、３つの正の屈折力のレンズと、２つの負の屈折力のレンズとからなり、
無限遠に合焦している状態かつ望遠端での前記ズームレンズの焦点距離をｆｔとし、無限遠に合焦している状態かつ望遠端での前記ズームレンズのＦナンバーをＦｎｔとし、前記第１２群の最も物体側のレンズの有効径をＥＡ１２として、
１．３０＜ｆｔ／Ｆｎｔ／ＥＡ１２＜１．９
なる条件式を満たすことを特徴とするズームレンズ。
【請求項２】
物体側から像側へ順に、ズーミングのためには不動の正の屈折力の第１レンズ群と、ズーミングのために光軸上を移動する負の屈折力の第２レンズ群および負の屈折力の第３レンズ群と、ズーミングのためには不動の正の屈折力の後レンズ群とからなり、または、
物体側から像側へ順に、ズーミングのためには不動の正の屈折力の第１レンズ群と、ズーミングのために光軸上を移動する負の屈折力の第２レンズ群、負の屈折力の第３レンズ群および正の屈折力の第４レンズ群と、ズーミングのためには不動の正の屈折力の後レンズ群とからなり、または、
物体側から像側へ順に、ズーミングのためには不動の正の屈折力の第１レンズ群と、ズーミングのために光軸上を移動する負の屈折力の第２レンズ群、正の屈折力の第３レンズ群および正の屈折力の第４レンズ群と、ズーミングのためには不動の負の屈折力の後レンズ群とからなり、
隣り合うレンズ群の組のいずれもズーミングのために間隔が変化するズームレンズであって、
前記第１レンズ群は、物体側から像側へ順に、フォーカシングのためには不動の第１１群と、フォーカシングのために移動する第１２群とを含み、
前記第１２群は、正の屈折力の第１２ａ群と正の屈折力の第１２ｂ群とからなり、前記第１２ａ群と前記第１２ｂ群とは、フォーカシングのために互いに異なる軌跡で移動し、
無限遠に合焦している状態かつ望遠端での前記ズームレンズの焦点距離をｆｔとし、無限遠に合焦している状態かつ望遠端での前記ズームレンズのＦナンバーをＦｎｔとし、前記第１２群の最も物体側のレンズの有効径をＥＡ１２とし、無限遠から物体距離２０ｆｔへのフォーカシングのための前記第１２ａ群の移動量および前記第１２ｂ群の移動量をそれぞれδ１２ａおよびδ１２ｂとして、
１．３０＜ｆｔ／Ｆｎｔ／ＥＡ１２＜１．９
１．０＜δ１２ｂ／δ１２ａ
なる条件式を満たすことを特徴とするズームレンズ。
【請求項３】
前記第１レンズ群の焦点距離をｆ１とし、前記第１２群の焦点距離をｆ１２として、
８＜ｆ１／ｆ１２＜１．４
なる条件式を満たすことを特徴とする請求項１または請求項２に記載のズームレンズ。
【請求項４】
前記第１１群は、正の屈折力を有することを特徴とする請求項１ないし請求項３のうちいずれか１項に記載のズームレンズ。
【請求項５】
前記第１２群は、正の屈折力の１つの群からなることを特徴とする請求項１に記載のズームレンズ。
【請求項６】
前記第１２群は、正の屈折力の第１２ａ群と正の屈折力の第１２ｂ群とからなり、前記第１２ａ群と前記第１２ｂ群とは、フォーカシングのために互いに異なる軌跡で移動することを特徴とする請求項１に記載のズームレンズ。
【請求項７】
無限遠から物体距離２０ｆｔへのフォーカシングのための前記第１２ａ群の移動量および前記第１２ｂ群の移動量をそれぞれδ１２ａおよびδ１２ｂとして、
１．０＜δ１２ｂ／δ１２ａ
なる条件式を満たすことを特徴とする請求項６に記載のズームレンズ。
【請求項８】
請求項１ないし請求項７のうちいずれか１項に記載のズームレンズと、
前記ズームレンズによって形成された像を光電変換する撮像素子と、
を有することを特徴とする撮像装置。
【請求項９】
前記撮像素子のサイズとしての対角長をＩＳとして、
１０．０＜ｆｔ／ＩＳ＜４０．０
なる条件式を満たすことを特徴とする請求項８に記載の撮像装置。
【発明の詳細な説明】
【技術分野】
【０００１】
本発明は、ズームレンズおよび撮像装置に関するものである。
【背景技術】
【０００２】
従来から変倍用のレンズ群（変倍系）よりも物体側に位置するレンズ群を用いてフォーカシングを行う方式（以下、フロントフォーカス方式）を採用した望遠型のズームレンズが種々提案されている（特許文献１、２）。フロントフォーカス方式は、フォーカスレンズ群のフォーカシングに際しての移動量がズーム位置に依らず一定で、且つ、フォーカシングに際して撮影倍率の低下が無いという利点がある。このため、特に望遠型のズームレンズで多く用いられている。
【０００３】
特許文献１には物体側から像面側へ順に、正の屈折力の第１レンズ群、負の屈折力の第２レンズ群、負の屈折力の第３レンズ群、正の屈折力の第４レンズ群より構成されズーミングに際して第２レンズ群、第３レンズ群が移動するズームレンズが開示されている。  そして特許文献１では、第１レンズ群を物体側から像面側へ順に、正の屈折力の第１群、正の屈折力の第２群、負の屈折力の第３群より構成し、第２群を移動させてフォーカシングを行うインナーフォーカス方式を用いている。
【０００４】
特許文献２には物体側から像面側へ順に、正の屈折力の第１レンズ群、負の屈折力の第２レンズ群、正の屈折力の第３レンズ群、正の屈折力の第４レンズ群より構成されズーミングに際して第２レンズ群、第３レンズ群が移動するズームレンズが開示されている。  そして特許文献２では、第１レンズ群を物体側から像面側へ順に、負の屈折力の第１群、正の屈折力の第２群より構成し、第２群を移動させてフォーカシングを行うインナーフォーカス方式を用いている。
【先行技術文献】
【特許文献】
【０００５】
【特許文献１】特開２００７−１３９８５８号公報
【特許文献２】特開２０１２−１８１２３１号公報
【発明の概要】
【発明が解決しようとする課題】
【０００６】
ズームレンズにおいて変倍系より物体側の第１レンズ群の一部の群でフォーカシングを行う方法はフォーカスレンズ群の移動量がズーム位置によらず一定で、またフォーカシングに際して撮影倍率の変化がないという利点がある。しかしながら更なる望遠化で大口径比化を図ろうとするとフォーカシングレンズ群が大型高重量化し、かつフォーカシングに際して収差変動が増大する傾向となる。
【０００７】
フォーカシングレンズ群の小型軽量化を図りつつフォーカシングに際しての収差変動を軽減するには第１レンズ群のレンズ構成、第１レンズ群に含まれるフォーカシングレンズ群の選定や屈折力、そしてレンズ構成等を適切に構成することが重要になってくる。
【０００８】
本発明は、例えば、小型軽量、および全物体距離範囲にわたる高い光学性能の点で有利なズームレンズの提供を目的とする。
【課題を解決するための手段】
【０００９】
本発明のズームレンズは、
物体側から像側へ順に、ズーミングのためには不動の正の屈折力の第１レンズ群と、ズーミングのために光軸上を移動する負の屈折力の第２レンズ群および負の屈折力の第３レンズ群と、ズーミングのためには不動の正の屈折力の後レンズ群とからなり、または、
物体側から像側へ順に、ズーミングのためには不動の正の屈折力の第１レンズ群と、ズーミングのために光軸上を移動する負の屈折力の第２レンズ群、負の屈折力の第３レンズ群および正の屈折力の第４レンズ群と、ズーミングのためには不動の正の屈折力の後レンズ群とからなり、または、
物体側から像側へ順に、ズーミングのためには不動の正の屈折力の第１レンズ群と、ズーミングのために光軸上を移動する負の屈折力の第２レンズ群、正の屈折力の第３レンズ群および正の屈折力の第４レンズ群と、ズーミングのためには不動の負の屈折力の後レンズ群とからなり、
隣り合うレンズ群の組のいずれもズーミングのために間隔が変化するズームレンズであって、
前記第１レンズ群は、物体側から像側へ順に、フォーカシングのためには不動の第１１群と、フォーカシングのために移動する第１２群とを含み、
前記第１１群は、物体側から像側へ順に、３つの正の屈折力のレンズと、２つの負の屈折力のレンズとからなり、
無限遠に合焦している状態かつ望遠端での前記ズームレンズの焦点距離をｆｔとし、無限遠に合焦している状態かつ望遠端での前記ズームレンズのＦナンバーをＦｎｔとし、前
記第１２群の最も物体側のレンズの有効径をＥＡ１２として、
１．３０＜ｆｔ／Ｆｎｔ／ＥＡ１２＜１．９
なる条件式を満たすことを特徴としている。
また、本発明のズームレンズは、
物体側から像側へ順に、ズーミングのためには不動の正の屈折力の第１レンズ群と、ズーミングのために光軸上を移動する負の屈折力の第２レンズ群および負の屈折力の第３レンズ群と、ズーミングのためには不動の正の屈折力の後レンズ群とからなり、または、
物体側から像側へ順に、ズーミングのためには不動の正の屈折力の第１レンズ群と、ズーミングのために光軸上を移動する負の屈折力の第２レンズ群、負の屈折力の第３レンズ群および正の屈折力の第４レンズ群と、ズーミングのためには不動の正の屈折力の後レンズ群とからなり、または、
物体側から像側へ順に、ズーミングのためには不動の正の屈折力の第１レンズ群と、ズーミングのために光軸上を移動する負の屈折力の第２レンズ群、正の屈折力の第３レンズ群および正の屈折力の第４レンズ群と、ズーミングのためには不動の負の屈折力の後レンズ群とからなり、
隣り合うレンズ群の組のいずれもズーミングのために間隔が変化するズームレンズであって、
前記第１レンズ群は、物体側から像側へ順に、フォーカシングのためには不動の第１１群と、フォーカシングのために移動する第１２群とを含み、
前記第１２群は、正の屈折力の第１２ａ群と正の屈折力の第１２ｂ群とからなり、前記第１２ａ群と前記第１２ｂ群とは、フォーカシングのために互いに異なる軌跡で移動し、
無限遠に合焦している状態かつ望遠端での前記ズームレンズの焦点距離をｆｔとし、無限遠に合焦している状態かつ望遠端での前記ズームレンズのＦナンバーをＦｎｔとし、前記第１２群の最も物体側のレンズの有効径をＥＡ１２とし、無限遠から物体距離２０ｆｔへのフォーカシングのための前記第１２ａ群の移動量および前記第１２ｂ群の移動量をそれぞれδ１２ａおよびδ１２ｂとして、
１．３０＜ｆｔ／Ｆｎｔ／ＥＡ１２＜１．９
１．０＜δ１２ｂ／δ１２ａ
なる条件式を満たすことを特徴としている。
【発明の効果】
【００１０】
本発明によれば、例えば、小型軽量、および全物体距離範囲にわたる高い光学性能の点で有利なズームレンズを提供することができる。
【図面の簡単な説明】
【００１１】
【図１】本発明の実施例１のレンズ断面図
【図２】本発明の実施例１の収差図
【図３】本発明の実施例１の各ズーム位置におけるレンズ断面図
【図４】本発明の実施例２のレンズ断面図
【図５】本発明の実施例２の収差図
【図６】本発明の実施例２の各ズーム位置におけるレンズ断面図
【図７】本発明の参考例１のレンズ断面図
【図８】本発明の参考例１の収差図
【図９】本発明の参考例１の各ズーム位置におけるレンズ断面図
【図１０】本発明の実施例３のレンズ断面図
【図１１】本発明の実施例３の収差図
【図１２】本発明の実施例３の各ズーム位置におけるレンズ断面図
【図１３】本発明の撮像装置の要部概略図
【発明を実施するための形態】
【００１２】
以下に、本発明の好ましい実施の形態を、添付の図面に基づいて詳細に説明する。本発明のズームレンズは、物体側から像側へ順に、ズーミングに際して（のためには）不動の正の屈折力の第１レンズ群、ズーミングに際して（のために）光軸上を移動する２つ以上のレンズ群を含む変倍系、ズーミングに際して不動の後レンズ群を有する。隣り合うレンズ群の間隔がズーミングのために変化する。図１（Ａ）、（Ｂ）は本発明の実施例１のズームレンズの望遠端（長焦点距離端、焦点距離ｆｔ＝６００ｍｍ）で、無限遠にフォーカス時（合焦時）と物体距離２０ｆｔ（１２ｍ）に合焦時のレンズ断面図である。
【００１３】
図２（Ａ）、（Ｂ）、（Ｃ）はそれぞれ実施例１の広角端において無限遠に合焦時、望遠端で無限遠に合焦時、望遠端で物体距離２０ｆｔ（１２ｍ）に合焦時の収差図である。但し、焦点距離、物体距離は数値実施例の値をｍｍ単位で表したときの値である。これは以下の各実施例において全て同じである。図３（Ａ）、（Ｂ）、（Ｃ）は実施例１の広角端、中間のズーム位置、望遠端におけるレンズ群のズーム軌跡の説明図である。
【００１４】
図４（Ａ）、（Ｂ）は本発明の実施例２のズームレンズの望遠端（長焦点距離端、焦点距離ｆｔ＝６４０ｍｍ）で、無限遠に合焦時と物体距離２０ｆｔ（１２．８ｍ）に合焦時のレンズ断面図である。図５（Ａ）、（Ｂ）、（Ｃ）はそれぞれ実施例２の広角端において無限遠に合焦時、望遠端で無限遠に合焦時、望遠端で物体距離２０ｆｔ（１２．８ｍ）に合焦時の収差図である。図６（Ａ）、（Ｂ）、（Ｃ）は実施例２の広角端、中間のズーム位置、望遠端におけるレンズ群のズーム軌跡の説明図である。
【００１５】
図７（Ａ）、（Ｂ）は本発明の参考例１のズームレンズの望遠端（長焦点距離端、焦点距離ｆｔ＝８００ｍｍ）で、無限遠に合焦時と物体距離２０ｆｔ（１６ｍ）に合焦時のレンズ断面図である。図８（Ａ）、（Ｂ）、（Ｃ）はそれぞれ参考例１の広角端において無限遠に合焦時、望遠端で無限遠に合焦時、望遠端で物体距離２０ｆｔ（１６ｍ）に合焦時の収差図である。図９（Ａ）、（Ｂ）、（Ｃ）は参考例１の広角端、中間のズーム位置、望遠端におけるレンズ群のズーム軌跡の説明図である。
【００１６】
図１０（Ａ）、（Ｂ）は本発明の実施例３のズームレンズの望遠端（長焦点距離端、焦点距離ｆｔ＝５００ｍｍ）で、無限遠に合焦時と物体距離２０ｆｔ（１０ｍ）に合焦時のレンズ断面図である。図１１（Ａ）、（Ｂ）、（Ｃ）はそれぞれ実施例３の広角端において無限遠に合焦時、望遠端で無限遠に合焦時、望遠端で物体距離２０ｆｔ（１０ｍ）に合焦時の収差図である。図１２（Ａ）、（Ｂ）、（Ｃ）は実施例３の広角端、中間のズーム位置、望遠端におけるレンズ群のズーム軌跡の説明図である。図１３は本発明の撮像装置の要部概略図である。
【００１７】
各レンズ断面図において左方が物体（被写体）側で、右方が像側である。レンズ断面図において、矢印は広角端から望遠端へのズーミングに際しての（のための）各レンズ群の移動軌跡を示す。フォーカスに関する矢印は無限遠物体から至近物体へのフォーカシングに際してのレンズ群の移動方向を示す。レンズ断面図において、Ｕ１はズーミングのためには不動の正の屈折力の第１レンズ群である。第１レンズ群Ｕ１はフォーカシングに際して（のため）移動するレンズ群が含まれている。ＬＶはズーミングに際して移動するレンズ群を２つ以上有する変倍系である。ＬＲはズーミングに際して（のためには）不動の後レンズ群である。
【００１８】
ＳＰはズーミングに際して不動の開口絞りである。各レンズ断面図において、ＩＰは像面であり、固体撮像素子（光電変換素子）の撮像面に相当している。各実施例においてレンズ群又は群とはフォーカシングまたはズーミングの少なくとも一方に際して変化するレンズ間隔によって分けられる１つ以上のレンズを含む集合体をいう。縦収差図のうち、球面収差におけるｅはｅ線（波長５４６．１ｎｍ）、ｇはｇ線（波長４３５．８ｎｍ）、ＣはＣ線（波長６５６．３ｎｍ）を示している。非点収差におけるΔＭはｅ線のメリディオナル像面、ΔＳはｅ線のサジタル像面を示している。
【００１９】
倍率色収差におけるｇはｇ線、ＣはＣ線によって表している。ＦｎｏはＦナンバー、ωは撮影半画角（度）を表す。縦収差図では、球面収差は０．５ｍｍ、非点収差は０．５ｍｍ、歪曲は５％、倍率色収差は０．１ｍｍのスケールで描かれている。なお、以下の各実施例において広角端と望遠端は、変倍用のレンズ群が光軸上を機械的に移動可能な範囲の両端に位置したときのズーム位置を指す。
【００２０】
［実施例１］
図１の実施例１のレンズ断面図において、Ｕ１はズーミングに際して不動で、フォーカスレンズ群（群）Ｕ１２を含む正の屈折力の第１レンズ群である。Ｕ２は変倍用の負の屈折力の第２レンズ群であり、光軸上を物体側から像側へ移動することにより、広角端から望遠端へのズーミングを行っている。Ｕ３は変倍に伴う像面変動を補正する負の屈折力の第３レンズ群であり、広角端から望遠端へのズーミングに際して物体側に凸状の軌跡を描いて移動する。即ち、移動軌跡が非直線的となるように移動する。
【００２１】
本実施例では、第２レンズ群Ｕ２と第３レンズ群Ｕ３で変倍系ＬＶを構成している。ＳＰは絞り（開口絞り）である。Ｕ４は、ズーミングに際して不動の結像用の正の屈折力の第４レンズ群である。第４レンズ群Ｕ４は後レンズ群ＬＲを構成している。
【００２２】
次に本実施例における第１レンズ群Ｕ１について説明する。第１レンズ群Ｕ１は第１レンズ面から第１４レンズ面に対応する。第１レンズ群Ｕ１は、フォーカシングに際して不動の正の屈折力の第１１群Ｕ１１、フォーカシングに際して移動する正の屈折力の第１２群（フォーカスレンズ群）Ｕ１２から構成されている。第１２群Ｕ１２は１つの群より構成されている。第１１群Ｕ１１は第１レンズ面から第１０レンズ面に対応し、物体側から像側へ順に、３枚の正の屈折力のレンズと２枚の負の屈折力のレンズで構成されている。
【００２３】
第１２群Ｕ１２は第１１レンズ面から第１４レンズ面に対応し、２枚の正の屈折力のレンズで構成されている。無限遠から至近へのフォーカスの際に第１２群Ｕ１２が光軸上を像側から物体側へ移動する。第１１群Ｕ１１は、第１２群Ｕ１２の小型軽量化に有利なレンズ構成を採用している。第１１群Ｕ１１は物体側に正の屈折力の複数のレンズを配置し、像側には負の屈折力のレンズを配置している。このレンズ構成によって、無限遠から入射してくる軸上マージナル光束の有効径を第１１群Ｕ１１内で下げることができ、第１２群Ｕ１２の小型軽量化を達成している。
【００２４】
第１２群Ｕ１２は１枚以上の正の屈折力のレンズと、１枚以上の負の屈折力のレンズを有している。望遠端において諸収差を良好に補正するためには、正レンズと負レンズを含む複数枚のレンズより構成することが好ましい。またレンズ径を効率的に縮小するためには、正の屈折力を第１１群Ｕ１１を、物体側から像側へ順に連続して複数の正の屈折力のレンズと連続して複数の負の屈折力のレンズを配置することが好ましい。
【００２５】
第１レンズ群Ｕ１を構成する各レンズは、適切な屈折力や色収差補正能力を有していれば、独立したレンズであっても接合レンズを有していても良い。これらは本発明においてレンズ形状としての変形及び変更の想定内であり、以下全ての実施例においても同様である。また、本実施例では後述するフォーカシングに際しての繰り出し量δ１２の値は無限遠から物体距離２０ｆｔへのフォーカシングするときの値であるが、これらは必ずしも物体距離２０ｆｔの数値でなくとも良く、最適な物体距離範囲を設定するのが良い。
【００２６】
尚、本実施例において第１２群Ｕ１２を正の屈折力の第１２ａ群と正の屈折力の第１２ｂ群から構成し、後述する実施例２、３のようにフォーカシングに際して双方の群を互いに異なった軌跡で移動させても良い。
【００２７】
［実施例２］
図４の実施例２のレンズ断面図において、Ｕ１はズーミングに際して不動で、フォーカスレンズ群（群）Ｕ１２ａ、Ｕ１２ｂを含む正の屈折力の第１レンズ群である。Ｕ２は変倍用の負の屈折力の第２レンズ群、Ｕ３は変倍用の負の屈折力の第３レンズ群である。Ｕ４は変倍に伴う像面変動を補正する正の屈折力を有する第４レンズ群であり、広角端から望遠端への変倍に際して変倍に伴う像面変動を補正するために移動軌跡が非直線的となるように移動する。Ｕ５は、ズーミングに際して不動の正の屈折力の第５レンズ群である。
【００２８】
本実施例では第２レンズ群Ｕ２、第３レンズ群Ｕ３、第４レンズ群Ｕ４で変倍系ＬＶを構成している。本実施例では変倍系ＬＶが３つのレンズ群よりなり、ズーミングに際しての収差変動を良好に補正している。第５レンズ群Ｕ５は後レンズ群ＬＲを構成している。
【００２９】
次に本実施例における第１レンズ群Ｕ１について説明する。第１レンズ群Ｕ１は第１レンズ面から第１４レンズ面に対応する。第１レンズ群Ｕ１は、フォーカシングに際して不動の正の屈折力の第１１群Ｕ１１、フォーカシングに際して移動する群を含む正の屈折力の第１２群Ｕ１２から構成されている。
【００３０】
実施例２の第１２群Ｕ１２は、正の屈折力の第１２ａ群Ｕ１２ａと、正の屈折力の第１２ｂ群Ｕ１２ｂの２つのサブユニットで構成され、其々がフォーカシングに際して同時に互いに異なった軌跡で移動する所謂フローティング方式を採用している。このフローティング方式を採用することにより、フォーカシングに際しての収差変動を、より効果的に補正している。第１１群Ｕ１１は第１レンズ面から第１０レンズ面に対応し、物体側から像側へ順に、３枚の正の屈折力のレンズと２枚の負の屈折力のレンズで構成されている。
【００３１】
第１２ａ群Ｕ１２ａは第１１レンズ面と第１２レンズ面に対応し、１枚の正の屈折力のレンズで構成されている。第１２ｂ群Ｕ１２ｂは第１３レンズ面と第１４レンズ面に対応し、１枚の正の屈折力のレンズで構成されている。無限遠から至近へのフォーカシングに際して第１２ａ群Ｕ１２ａは光軸上を像側から物体側へ移動する。第１２ｂ群Ｕ１２ｂは、フォーカシングに伴う収差変動を抑制するように第１２ａ群Ｕ１２ａと同時に光軸上を像側から物体側へ移動する。
【００３２】
実施例２は望遠側のズーム範囲における無限遠の光学性能を重視した設計であり、特に無限遠側の軸外収差の変動を軽減することに有利なレンズ構成となっている。
【００３３】
本実施例では後述する第１２ａ群Ｕ１２ａの操り出し量δ１２ａと第１２ｂ群Ｕ１２ｂの繰り出し量δ１２ｂの値は無限遠から物体距離２０ｆｔへのフォーカシングするときの値であるが、これらは必ずしも物体距離２０ｆｔの数値でなくとも良い。最適なフローティング効果を発揮する被写体距離範囲を設定するのが良い。更には、フローティングの軌跡が物体側や像側に複数の変曲点を有していても良い。これらは、本発明の主目的である軸外収差の補正の効果を確保しつつ、実施に適するフローティング態様の変形及び変更の想定内である。
【００３４】
尚、本実施例において第１２群Ｕ１２を構成する第１２ａ群Ｕ１２ａと第１２ｂ群Ｕ１２ｂを１つの群より構成し、実施例１のようにフォーカシングに際して一体的に（同じ軌跡で）移動させても良い。
【００３５】
［参考例１］
図７の参考例１について説明する。参考例１は実施例２と同様に第２レンズ群Ｕ２から第４レンズ群Ｕ４で変倍系ＬＶを構成する所謂５群ズームレンズである。レンズ断面図においてＵ１はズーミングに際して不動でフォーカスレンズ群（群）Ｕ１２ａ、Ｕ１２ｂを含む正の屈折力の第１レンズ群である。Ｕ２は変倍用の負の屈折力の第２レンズ群である。Ｕ３は変倍用の正の屈折力の第３レンズ群である。Ｕ４は変倍に伴う像面変動を補正するために移動軌跡が非直線的となるように移動する正の屈折力の第４レンズ群である。Ｕ５は、ズーミングに際して不動の負の屈折力の第５レンズ群である。
【００３６】
参考例１は第３レンズ群が正の屈折力を有する場合である。この場合も他の実施例と同様にフォーカシングに際しての収差変動を軽減することができる。
【００３７】
本参考例において第２レンズ群Ｕ２、第３レンズ群Ｕ３、第４レンズ群Ｕ４は変倍系ＬＶを構成している。第５レンズ群Ｕ５は後レンズ群ＬＲを構成している。
【００３８】
実施例２と同様に、参考例１も正の屈折力の第１２ａ群Ｕ１２ａと、正の屈折力の第１２ｂ群Ｕ１２ｂの２つのサブユニットでフローティングを実現している。第１１群Ｕ１１は第１レンズ面から第１０レンズ面に対応し、物体側から像側へ順に、３枚の正の屈折力のレンズと２枚の負の屈折力のレンズで構成されている。第１２ａ群Ｕ１２ａは第１１レンズ面から第１５レンズ面に対応し、１枚の正の屈折力のレンズと、正の屈折力のレンズと負の屈折力のレンズの接合レンズで構成されている。第１２ｂ群Ｕ１２ｂは第１６レンズ面と第１７レンズ面に対応し、１枚の正の屈折力のレンズで構成されている。
【００３９】
参考例１は第１２ａ群Ｕ１２ａに負の屈折力のレンズを含むことで、フォーカシングに際して光束変化の影響を駆動レンズ群自体でも打ち消している。
【００４０】
本参考例における第１１レンズ群Ｕ１１は、後続のレンズ径を縮小するために正レンズを物体側へ連続して配置している。更なる小型軽量化を目指すと、フォーカスによる収差変動を補正する能力が不足するケースがある。そこで、第１２群Ｕ１２内に負レンズを配置することで、更なる小型軽量化と良好なフォーカス変動補正を両立している。尚、本参考例において第１２群Ｕ１２を構成する第１２ａ群Ｕ１２ａと第１２ｂ群Ｕ１２ｂを１つの群より構成し、実施例１のようにフォーカシングに際して一体的に（同じ軌跡で）移動させても良い。
【００４１】
［実施例３］
実施例３も他の実施例と同様にフォーカシングに際しての収差変動を軽減することができる。本実施例において第２レンズ群Ｕ２、第３レンズ群Ｕ３は変倍系ＬＶを構成している。第４レンズ群Ｕ４は後レンズ群ＬＲを構成している。
【００４２】
実施例２、参考例１と同様に、実施例３も正の屈折力の第１２ａ群Ｕ１２ａと、正の屈折力の第１２ｂ群Ｕ１２ｂの２つのサブユニットでフローティングを実現している。第１１群Ｕ１１は第１レンズ面から第１０レンズ面に対応し、物体側から像側へ順に、３枚の正の屈折力のレンズと２枚の負の屈折力のレンズで構成されている。第１２ａ群Ｕ１２ａは第１１レンズ面から第１４レンズ面に対応し、２枚の正の屈折力のレンズで構成されている。第１２ｂ群Ｕ１２ｂは第１５レンズ面と第１８レンズ面に対応し、１枚の負の屈折力のレンズと正の屈折力のレンズで構成されている。
【００４３】
実施例３は第１２ｂ群Ｕ１２ｂに負の屈折力のレンズを含むことで、フォーカシングに伴う光束変化の影響を駆動レンズ群自体でも打ち消している。実施例３も参考例１と同様に、第１２レンズ群Ｕ１２内に負レンズを配置することで、更なる小型軽量化と良好なフォーカス変動補正を両立している。
【００４４】
各実施例において変倍系ＬＶは最も物体側においてズーミングに際して移動する負の屈折力の第２レンズ群Ｕ２を有する。第１レンズ群Ｕ１は物体側から像側へ順にフォーカシングに際して不動の第１１群Ｕ１１、フォーカシングに際して移動する１つ以上のレンズ群を含む第１２群Ｕ１２を有する。無限遠にフォーカス（合焦）時の望遠端における全系の焦点距離をｆｔ、無限遠にフォーカス時の望遠端におけるＦナンバーをＦｎｔ、第１２群Ｕ１２の最も物体側のレンズの光線有効径をＥＡ１２とする。このとき、
１．３＜ｆｔ／Ｆｎｔ／ＥＡ１２＜１．９    ・・・（１）
なる条件式を満たす。
【００４５】
次に前述した条件式の技術的意味について説明する。条件式（１）は、望遠型のズームレンズの更なる望遠化と大口径比化、及びフォーカスレンズ群（群）の小型軽量化を達成するためのものである。
【００４６】
本発明で想定するレンズ系が無限遠に合焦時の望遠端における入射瞳径と第１２群Ｕ１２の最も物体側に配置されているレンズの光線有効径の比を規定している。一般的に、望遠型のズームレンズの無限遠に合焦時の望遠端の入射瞳径は、第１レンズ群Ｕ１のレンズ径を概算する際によく使われている。
【００４７】
条件式（１）を満たすと、第１２群Ｕ１２の光線有効径を適切に小さくすることが出来る。このため、望遠化と大口径比化、及びフォーカスレンズ群の小型軽量化を図りつつ、高い光学性能が容易に得られる。
【００４８】
条件式（１）の上限値を超えると、第１１群Ｕ１１において光線有効径を過度に下げることとなり、第１１群Ｕ１１のレンズ枚数が増加し、望遠端において諸収差が増加する。この結果、第１レンズ群Ｕ１全体としての小型軽量化を図りつつ、良好な光学性能を得るのが困難となる。条件式（１）の下限値を超えると、第１２群Ｕ１２による光線有効径の縮小化が不足し、第１２群Ｕ１２の小型軽量化が困難となる。更に好ましくは、条件式（１）の数値範囲を次の如く設定するのが良い。
【００４９】
１．３１＜ｆｔ／Ｆｔ／ＥＡ１２＜１．８５    ・・・（１ａ）
更に好ましくは、条件式（１ａ）の数値範囲を次の如く設定するのが良い。
１．３３＜ｆｔ／Ｆｔ／ＥＡ１２＜１．８２    ・・・（１ｂ）
【００５０】
以上のように構成することにより、各実施例では、ズーム比が６〜１４程度で望遠端における撮影半画角が２．０度以下の望遠型のズームレンズにおいてフォーカスレンズ群の小型軽量化を図りつつ、全ズーム範囲において良好な光学性能を得ている。ここで望遠型のズームレンズとは、望遠端における撮影半画角をωｔとするとき、
ωｔ＜２．０    ・・・（イ）
を満足するズームレンズをいう。
【００５１】
各実施例において更に好ましくは次の条件式を満足するのが良い。第１レンズ群Ｕ１の焦点距離をｆ１、第１２群Ｕ１２の焦点距離をｆ１２とする。このとき、
０．８＜ｆ１／ｆ１２＜１．４    ・・・（２）
なる条件式を満たすことである。
【００５２】
条件式（２）は、第１レンズ群Ｕ１の焦点距離と、第１２群Ｕ１２の焦点距離の比を規定している。第１２群Ｕ１２が第１レンズ群Ｕ１の正の屈折力の大半を担うことで、フォーカシングに際して第２群Ｕ１２に入射する光線の変化を軽減して、フォーカシングに際して収差変動を軽減できるレンズ構成としている。条件式（２）の下限値を超えると第１２群Ｕ１２への屈折力の配分が少なくなり、光線の第１２群Ｕ１２への入射頃角が増大し、フォーカシングに際して収差変動が増大してくる。
【００５３】
条件式（２）の上限値を超えると、第１２群Ｕ１２に屈折力が多く配分することとなり第１２群Ｕ１２が大型化し、かつフォーカシングに際して収差変動が増大してくる。更に好ましくは、条件式（２）は次の如く設定するのが良い。
【００５４】
０.８５＜ｆ１／ｆ１２＜１．３５    ・・・（２ａ）
更に好ましくは、条件式（２ａ）の数値範囲を次の如く設定するのが良い。
０．９＜ｆ１／ｆ１２＜１．３        ・・・（２ｂ）
【００５５】
第１２群Ｕ１２が正の屈折力の第１２ａ群Ｕ１２ａと正の屈折力の第１２ｂ群Ｕ１２ｂから成り、フォーカシングに際して第１２ａ群Ｕ１２ａと第１２ｂ群Ｕ１２ｂは互いに異なった軌跡で移動するときは、次の条件式を満足するのが良い。無限遠から物体距離２０ｆｔへのフォーカシングに際して第１２ａ群Ｕ１２ａの移動量をδ１２ａ、第１２ｂ群Ｕ１２ｂの移動量をδ１２ｂとする。このとき、
１．０＜δ１２ｂ／δ１２ａ    ・・・（３）
なる条件式を満たすことである。
【００５６】
条件式（３）は、フォーカシングに際して移動する第１２ａ群Ｕ１２ａと第１２ｂ群Ｕ１２ｂの移動量の比に関する。条件式（３）はフォーカシングに際して２つの群が独立に異なった軌跡で移動するフローティング方式を用いたときの形態を示している。所望の被写体距離範囲において、フォーカシングに際しての収差変動を軽減するための、第１２ａ群Ｕ１２ａと第１２ｂ群Ｕ１２ｂの移動量の比を適切に規定している。
【００５７】
上述の所望の撮影距離範囲については各実施例で任意に設定されるものである。本発明のズームレンズは望遠側の焦点距離範囲において無限遠の光学性能を良好に維持している。望遠端の焦点距離をｆｔで表わす時、被写体距離としては全ズーム範囲で物体距離範囲２０ｆｔ〜無限遠で良好なる光学性能を得ている。特に望遠端付近では物体距離範囲４０ｆｔ〜無限遠で良好な光学性能を得ている。これらの領域において第１２ａ群Ｕ１２ａと第１２ｂ群Ｕ１２ｂの移動量が条件式（３）を満足するように移動することで、フォーカシングに際しての収差変動を軽減し、高い光学性能を得ている。
【００５８】
本発明のズームレンズを有する撮像装置が有する撮像素子のサイズは、主に映画や放送動画撮影用のＳｕｐｅｒ３５ｍｍなどの大型が利用できる。大型の撮像素子を搭載する撮像装置において高性能化を達成するには、フォーカシングに際して像面彎曲などの軸外収差の変動を軽減することが重要である。条件式（３）の下限値を超えると、フォーカシングに際しての収差変動が増大し、物体距離全般にわたり、高い光学性能を得るのが困難になる。更に好ましくは、条件式（３）の数値範囲を次の如く設定するのが良い。
【００５９】
１．０２＜δ１２ｂ／δ１２ａ    ・・・（３ａ）
更に好ましくは、条件式（３ａ）の数値範囲を次の如く設定するのが良い。
【００６０】
１．２０＜δ１２ｂ／δ１２ａ    ・・・（３ｂ）
【００６１】
各実施例のズームレンズをズームレンズによって形成された像を光電変換する撮像素子を有する撮像装置に用いたときは次の条件式を満足するのが良い。撮像素子の有効画面の対角長をＩＳとするとき、
１０．０＜ｆｔ／ＩＳ＜４０．０
なる条件式を満たすことである。
【００６２】
条件式（４）は本発明のズームレンズを撮像装置に適用したときの撮像素子のサイズの関係を規定する。条件式（４）の上限値を超えると、ズームレンズの望遠端の焦点距離に対して撮像素子のサイズが相対的に小さい撮像装置を想定することとなる。この結果、より軸上収差の変動を抑制するレンズ構成が好ましくなり、第１レンズ群Ｕ１のレンズ構成、及び第１２群Ｕ１２のレンズ構成を適切に設定するのが困難になる。
【００６３】
条件式（４）の下限値を超えると、望遠型のズームレンズを得るのが困難になる。更に前玉の屈折力配置やフォーカスレンズ群の配置を適切に設定し、全系の小型軽量化を図るのが困難になる。更に好ましくは、条件式（４）の数値範囲を次の如く設定するのが良い。
１２．０＜ｆｔ／ＩＳ＜３７．０    ・・・（４ａ）
更に好ましくは、条件式（４ａ）の数値範囲を次の如く設定するのが良い。
１４．０＜ｆｔ／ＩＳ＜３２．０    ・・・（４ｂ）
【００６４】
次に図１３において実施例１乃至３、参考例１のズームレンズを撮像光学系として用いた撮像装置（テレビカメラシステム）について説明する。
【００６５】
図１３において１０１は実施例１乃至３、参考例１のいずれかのズームレンズである。２０１はカメラである。ズームレンズ１０１はカメラ２０１に対して着脱可能となっている。３０１はカメラ２０１にズームレンズ１０１を装着することで構成される撮像装置である。ズームレンズ１０１は第１レンズ群Ｕ１、変倍系ＬＶ、リレーレンズ群（後レンズ群）ＬＲを有
している。第１レンズ群Ｕ１には合焦用の群が含まれている。変倍系ＬＶには変倍のために光軸上を移動するバリエーター群と、変倍に伴う像面変動を補正するために光軸上を移動するコンペンセータ群を含む。
【００６６】
リレーレンズ群ＬＲには、ズームレンズ全系の焦点距離を変位させる、光路中より挿抜可能なレンズユニット（エクステンダー）を含むこともある。ＳＰは開口絞りである。１０２乃至１０４は各々第１レンズ群Ｕ１や変倍系ＬＶ、またはリレーレンズ群ＬＲに含まれるレンズ群を光軸方向に駆動するヘリコイドやカム等の駆動機構である。ここで、１０５乃至１０８は駆動機構１０２乃至１０４および開口絞りＳＰを電動駆動するモータ（駆動手段）である。
【００６７】
１０９乃至１１２は、第１レンズ群Ｕ１や変倍系ＬＺ、リレーレンズ群ＬＲに含むレンズ群の光軸上の位置や、開口絞りＳＰの絞り径等を検出するためのエンコーダやポテンショメータ、あるいはフォトセンサ等の検出器である。カメラ２０１において、２０２は光学フィルタや色分解光学系に相当するガラスブロック、２０３はズームレンズ１０１によって形成された被写体像を受光するＣＣＤセンサやＣＭＯＳセンサ等の固体撮像素子（光電変換素子）である。また、２０４、１１３はカメラ２０１及びズームレンズ１０１の各種の駆動を制御するＣＰＵである。
【００６８】
このように、本発明のズームレンズをテレビカメラなどに適用することにより、高い光学性能を有する撮像装置を実現している。ただし、本発明に関するズームレンズおよびカメラの構成は図１３の形態に限定されず、その要旨の範囲内で種々の変形及び変更が可能である。
【００６９】
以下に本発明の実施例１、２、参考例１、実施例３に対応する数値例１乃至４を示す。各数値例１乃至４において、ｉは物体側からの面の順序を示し、ｒｉは物体側］／り第ｉ番目の面の曲率半径、ｄｉは物体側より第ｉ番目と第ｉ＋１番目の間隔、ｎｄｉとνｄｉは第ｉ番目の光学部材の屈折率とアッベ数である。
【００７０】
焦点距離、Ｆナンバー、画角（度）はそれぞれ無限遠物体に焦点を合わせたときを示している。ＢＦはバックフォーカスであり、最終レンズ面から像面までの距離で示している。また、各ズームレンズ群データは、各レンズ群の焦点距離、光軸上の長さ（レンズ構成長）、前側主点位置、後側主点位置を表わしている。また、各光学面の間隔ｄが（可変）となっている部分は、ズーミングに際して変化するものであり、別表に焦点距離に応じた面間隔を記している。
【００７１】
非球面形状は光軸方向にＸ軸、光軸と垂直方向にＨ軸、光の進行方向を正とし、Ｒを近軸曲率半径、ｋを円錐定数、Ａ４、Ａ６、Ａ８、Ａ１０をそれぞれ非球面係数としたとき、次式で表している。また「ｅ−Ｚ」は「×１０−Ｚ」を意味する。また、数値例１乃至４のレンズデータに基づく各条件式の計算結果を表１に示す。
【００７２】
【数１】
0006646244.tif 000002
【００７３】
（数値例１）
単位 mm
面データ
面番号       r        d      nd         νd       有効径
1        133.336   25.29   1.43875    94.9      150.00
2       1585.100    0.50                        148.44
3        133.170   19.55   1.43875    94.9      138.64
4        617.135    0.50                        135.83
5        110.010   17.20   1.43875    94.9      121.05
6        360.421    6.60                        116.89
7       1442.411    3.50   1.72916    54.7      112.38
8         79.661   13.20                         97.24
9        224.395    3.50   1.69680    55.5       96.62
10        136.260   28.56                         94.13
11*       119.805    9.97   1.43875    94.9       90.33
12        480.935    1.17                         89.25
13        172.250    7.96   1.43875    94.9       87.37
14        563.962  (可変)                         85.65
15        310.514    1.50   1.88300    40.8       31.32
16         48.334    6.08                         29.60
17        -49.220    1.50   1.43875    94.9       29.48
18       -331.507    2.62                         29.95
19       -269.875    3.43   1.80100    35.0       30.34
20        -76.105    1.50   1.43875    94.9       30.65
21         38.723    2.27                         31.07
22         42.742    3.50   1.80100    35.0       32.21
23         82.025  (可変)                         32.03
24        -95.007    1.50   1.81600    46.6       34.06
25        103.678    3.21   1.84666    23.8       35.32
26          ∞     (可変)                         35.76
27(絞り)    ∞       1.00                         40.74
28        397.864    5.61   1.51633    64.1       41.51
29        -66.605    0.20                         41.99
30         64.005    7.00   1.49700    81.5       42.66
31       -169.176    0.20                         42.31
32         50.626   10.52   1.49700    81.5       40.09
33        -71.340    1.50   2.00330    28.3       38.02
34        248.875   20.02                         36.87
35       -366.171    5.85   1.51633    64.1       30.48
36        -54.624    3.92                         29.70
37       6150.716    5.70   1.84666    23.8       25.91
38        -30.410    1.50   1.88300    40.8       25.33
39         33.303    2.93                         24.37
40         47.068    4.58   1.51633    64.1       25.43
41       -265.164   30.07                         25.66
42        -54.753    1.50   1.80100    35.0       28.09
43       -203.037    2.32                         28.89
44        106.424    6.94   1.80518    25.4       30.44
45        -35.718    1.50   1.95906    17.5       30.64
46        -86.611                                 31.17
像面        ∞   
【００７４】
非球面データ
第11面
K = 0.00000e+000  A 4=-8.35227e-009  A 6=-1.18444e-012
A 8= 3.70882e-016 A10=-1.06155e-019  
各種データ
ズーム比       8.00 
焦点距離        75.00   250.00   600.00
Fナンバー        3.50     3.50     4.00
半画角（度）    10.65     3.23     1.35
レンズ全長     436.32   436.32   436.32
BF              50.02    50.02    50.02
d14              1.98    70.61    98.04
d23             96.87    17.92     8.01
d26             10.00    20.32     2.80
入射瞳位置     364.72  1020.04  1750.70
射出瞳位置    -143.92  -143.92  -143.92
前側主点位置   410.71   947.77   494.46
後側主点位置   -24.98  -199.98  -549.98
ズームレンズ群データ
群  始面    焦点距離  レンズ構成長  前側主点位置  後側主点位置
1    1     272.08       137.50        11.11       -117.81
2   15     -42.15        22.40         2.57        -14.97
3   24    -120.57         4.71        -0.03         -2.59
4   27      63.16       112.85        17.15       -120.39
単レンズデータ
レンズ  始面  焦点距離
1       1    329.23
2       3    381.36
3       5    352.58
4       7   -115.26
5       9   -503.99
6      11    359.70
7      13    560.33
8      15    -64.63
9      17   -131.62
10      19    130.41
11      20    -58.12
12      22    106.44
13      24    -60.24
14      25    121.26
15      28    110.54
16      30     94.10
17      32     61.16
18      33    -54.68
19      35    123.09
20      37     35.41
21      38    -17.70
22      40     77.52
23      42    -93.39
24      44     33.64
25      45    -63.47
フォーカス移動量（20ftにおける）
δ12          -6.611
【００７５】
（数値例２）
単位 mm
面データ
面番号       r        d      nd         νd       有効径
1        132.642   26.68   1.43875    94.9      154.79
2       1498.827    0.50                        152.53
3        132.460   19.10   1.43875    94.9      137.21
4        620.744    0.50                        133.76
5        108.710   16.90   1.43875    94.9      115.26
6        369.426    6.46                        110.48
7       1503.216    3.50   1.72916    54.7      105.83
8         79.895   17.17                         92.71
9        227.839    3.50   1.69680    55.5       90.49
10        135.377   22.35                         88.22
11*       118.083    9.65   1.43875    94.9       85.20
12        486.330   10.84                         84.05
13        169.593    7.68   1.43875    94.9       79.96
14        587.180  (可変)                         78.14
15        296.951    1.50   1.88300    40.8       30.33
16         48.770    7.99                         28.58
17        -44.297    1.50   1.43875    94.9       27.47
18       -663.944    2.91                         28.02
19       -207.196    3.46   1.85026    32.3       28.55
20        -68.639    1.50   1.43875    94.9       28.97
21         40.532    2.03                         29.56
22         42.276    3.07   1.85026    32.3       30.69
23         66.784  (可変)                         30.50
24       -117.172    1.50   1.81600    46.6       33.81
25        131.259    2.90   1.84666    23.8       34.81
26          ∞     (可変)                         35.24
27        168.642    6.25   1.51633    64.1       40.48
28        -65.235  (可変)                         40.86
29(絞り)    ∞       2.00                         40.92
30         64.270    6.70   1.49700    81.5       40.86
31       -601.989    0.20                         40.17
32         53.322   10.44   1.49700    81.5       38.59
33        -67.694    1.50   2.00330    28.3       36.39
34        224.899   23.72                         35.38
35       -257.856    4.20   1.51633    64.1       29.15
36        -51.106    6.73                         28.79
37       2018.039    6.09   1.84666    23.8       25.57
38        -26.613    1.50   1.88300    40.8       25.16
39         33.726    2.94                         24.33
40         44.077    4.73   1.51633    64.1       25.61
41       -278.587   23.34                         25.86
42        -57.216    1.50   1.80100    35.0       28.12
43       -220.270    2.33                         28.91
44        103.191    7.57   1.80518    25.4       30.50
45        -31.298    1.50   1.95906    17.5       30.70
46        -80.779                                 31.36
像面        ∞   
【００７６】
非球面データ
第11面
K = 0.00000e+000  A 4=-1.25589e-008  A 6=-2.94049e-012
A 8= 1.14650e-015  A10=-2.72298e-019  
各種データ
ズーム比       8.00 
焦点距離        80.00   275.00   640.00
Fナンバー        3.50     3.50     4.50
半画角（度）    10.00     2.94     1.26
レンズ全長     440.03   440.03   440.03
BF              50.01    50.01    50.01
d14              3.68    67.92    91.65
d23             83.75     6.39     6.36
d26             10.00    25.56     2.80
d28              6.18     3.73     2.80
入射瞳位置     412.35  1164.63  2063.23
射出瞳位置    -145.55  -145.55  -145.55
前側主点位置   459.63  1052.92   608.72
後側主点位置   -29.99  -224.99  -589.99
ズームレンズ群データ
群  始面    焦点距離  レンズ構成長  前側主点位置  後側主点位置
1    1     268.50       144.81        13.62       -124.27
2   15     -37.18        23.95         4.21        -14.54
3   24    -148.53         4.40        -0.03         -2.42
4   27      91.60         6.25         3.00         -1.16
5   29     140.44       107.00        37.38        -94.61
単レンズデータ
レンズ  始面  焦点距離
1       1    328.88
2       3    378.32
3       5    343.40
4       7   -115.34
5       9   -484.25
6      11    351.73
7      13    539.13
8      15    -65.89
9      17   -107.99
10      19    118.48
11      20    -57.69
12      22    127.16
13      24    -75.28
14      25    153.51
15      27     91.60
16      30    116.89
17      32     61.61
18      33    -51.30
19      35    122.14
20      37     30.76
21      38    -16.55
22      40     73.80
23      42    -96.24
24      44     30.32
25      45    -53.37
フォーカス移動量（20ftにおける）
δ12a         -2.5109
δ12b         -9.1904
【００７７】
（数値例３）
単位 mm
面データ
面番号       r        d      nd         νd       有効径
1        322.777   15.94   1.43387    95.1      148.50
2       -920.637    0.70                        146.42
3        248.396   14.16   1.43387    95.1      138.60
4     -12412.112    1.00                        137.12
5        231.361   11.36   1.43387    95.1      131.43
6       1106.922    7.17                        129.38
7       -949.903    4.00   1.58913    61.1      126.99
8        291.773   17.61                        121.96
9      -1600.587    4.00   1.51633    64.1      118.09
10        326.694   32.28                        115.79
11        392.483   11.50   1.43387    95.1      110.99
12       -339.845    0.20                        110.40
13        211.625   11.89   1.43875    94.9      105.44
14       -628.351    3.50   1.72047    34.7      104.03
15        853.097    0.50                        101.52
16        194.796    6.89   1.43387    95.1       98.71
17        830.557  (可変)                         97.67
18        229.215    1.80   1.81600    46.6       39.96
19         35.049    9.08                         36.04
20        -43.691    1.50   1.43875    94.9       35.98
21        340.866    0.10                         36.56
22         59.367    5.43   1.72047    34.7       37.06
23       -402.425    1.50   1.43875    94.9       36.72
24        114.200    0.10                         35.99
25         46.944    3.88   1.72047    34.7       35.61
26         75.413    5.85                         34.75
27        -66.337    1.40   1.43875    94.9       34.48
28         61.017  (可変)                         34.75
29         84.453    6.94   1.43875    94.9       47.89
30       -148.713    0.20                         48.05
31      -1876.220    1.50   1.72047    34.7       48.06
32*       106.255    0.20                         48.12
33         54.187    9.98   1.43875    94.9       49.68
34       -159.558  (可変)                         49.70
35         54.867    9.30   1.43875    94.9       48.36
36      10204.261    0.20                         46.96
37         38.186    1.50   1.72047    34.7       43.19
38         30.276    4.52                         40.82
39         59.722    5.88   1.43875    94.9       40.77
40       -347.648  (可変)                         40.04
41(絞り)    ∞       6.10                         28.73
42       -154.410    1.40   1.88300    40.8       24.87
43         24.873    4.89   1.71736    29.5       23.56
44        -68.636    2.73                         23.38
45        159.344    1.40   1.83481    42.7       20.83
46         25.478    0.15                         19.64
47         21.861    2.67   1.71736    29.5       19.63
48         38.060    1.07                         19.27
49        100.934    1.50   1.88300    40.8       19.27
50         33.227   20.00                         19.04
51         22.226    5.34   1.43875    94.9       27.61
52        113.171    2.77                         27.28
53        130.506    1.20   1.83481    42.7       26.64
54         25.822    2.08                         25.75
55         38.017    1.20   1.83481    42.7       26.37
56         19.351    6.00   1.58144    40.8       26.24
57        144.222    1.90                         26.65
58         34.196    5.47   1.51633    64.1       29.26
59       -361.327                                 29.29
像面        ∞   
【００７８】
非球面データ
第32面
K = 0.00000e+000  A 4= 1.25252e-006  A 6= 5.19668e-010
A 8=-1.14933e-012  A10= 1.96112e-015  A12=-1.05321e-018  
各種データ
ズーム比     13.33 
焦点距離       60.00   300.00   800.00
Fナンバー       4.00     4.00     5.60
半画角（度）   14.53     2.97     1.11
レンズ全長    465.36   465.36   465.36
BF             55.10    55.10    55.10
d17             1.50    67.90    87.24
d28           116.04    43.63     2.93
d34             9.37     1.88    21.23
d40             1.93    15.43    17.45
入射瞳位置    279.87  1021.31  2685.82
射出瞳位置    -90.35   -90.35   -90.35
前側主点位置  315.12   702.55  -914.36
後側主点位置   -4.90  -244.89  -744.90
ズームレンズ群データ
群  始面    焦点距離  レンズ構成長  前側主点位置  後側主点位置
1    1     207.18       142.70        72.84        -67.55
2   18     -29.22        30.63         8.95        -11.87
3   29      87.31        18.82         4.98         -8.36
4   35      86.28        21.41         5.05        -11.74
5   41    -108.00        67.86       -25.44       -123.63
単レンズデータ
レンズ  始面  焦点距離
1       1    551.59
2       3    560.06
3       5    669.83
4       7   -376.96
5       9   -523.15
6      11    420.75
7      13    361.47
8      14   -498.33
9      16    583.15
10      18    -50.66
11      20    -87.94
12      22     71.68
13      23   -202.06
14      25    162.14
15      27    -72.02
16      29    123.58
17      31   -138.59
18      33     93.29
19      35    125.38
20      37   -218.93
21      39    116.39
22      42    -24.03
23      43     25.81
24      45    -36.30
25      47     66.44
26      49    -56.36
27      51     61.77
28      53    -38.55
29      55    -48.37
30      56     37.55
31      58     60.56
フォーカス移動量（20ftにおける）
δ12a         -2.8236
δ12b         -2.8988
【００７９】
（数値例４）
単位 mm
面データ
面番号       r        d      nd         νd       有効径
1        164.476   14.06   1.49700    81.5      124.76
2       1394.236    0.20                        123.39
3        225.686   10.23   1.43875    94.9      119.10
4      16252.375    0.20                        117.69
5        155.259   13.50   1.49700    81.5      108.68
6      -1472.979    0.20                        106.36
7       1698.448    3.00   1.75500    52.3      103.37
8        205.721   14.99                         97.14
9       -300.880    3.00   1.69680    55.5       91.36
10        392.107   12.40                         87.77
11        115.617    9.75   1.43875    94.9       78.85
12      -9119.472    0.20                         77.88
13        257.193    4.79   1.43875    94.9       76.26
14        467.005    2.03                         74.70
15        103.397    2.00   1.66672    48.3       70.73
16         63.084    2.04                         67.22
17         69.510    9.07   1.43875    94.9       66.96
18        261.360  (可変)                         65.66
19*       539.346    1.20   1.75500    52.3       32.66
20         25.025    7.41                         28.68
21        -54.986    1.20   1.59522    67.7       28.35
22        114.855    5.88   1.72047    34.7       28.36
23        -41.228    1.91                         28.33
24        -30.635    1.20   1.59522    67.7       27.63
25        551.117    0.20                         27.81
26         62.043    4.01   1.61340    44.3       27.95
27       1466.495  (可変)                         27.66
28        -57.614    1.20   1.81600    46.6       25.15
29        114.823    4.00   1.84666    23.8       26.03
30       -324.823  (可変)                         26.79
31(絞り)    ∞       1.48                         33.32
32        413.464    4.67   1.60311    60.6       34.22
33        -72.952    0.15                         34.81
34         92.029    6.78   1.49700    81.5       35.34
35        -52.474    1.20   1.88300    40.8       35.25
36       -123.647    1.60                         35.58
37         32.060    5.93   1.59522    67.7       35.22
38        103.254    9.35                         34.18
39         55.408    0.90   1.88300    40.8       28.37
40         22.279    6.26   1.51633    64.1       26.45
41        326.491   14.28                         25.66
42        109.292    4.21   1.51742    52.4       18.13
43        -22.027    0.90   1.88300    40.8       17.91
44         71.720   43.30                         18.24
45        155.203    5.10   1.56732    42.8       37.01
46       -224.145    3.99                         37.58
47         68.115    1.50   1.72047    34.7       38.98
48         51.769    1.00                         38.63
49         47.981    5.98   1.56732    42.8       39.12
50       1020.804  (可変)                         38.90
像面        ∞   
【００８０】
非球面データ
第19面
K = 4.79686e+001  A 4= 3.03660e-006  A 6=-1.60882e-009
A 8= 3.02645e-012  A10=-1.41903e-014  A12= 2.36561e-017
各種データ
ズーム比        8.33 
焦点距離         60.00    180.00    500.00  
Fナンバー         4.00      4.00      4.80  
半画角（度）     14.48      4.92      1.78  
レンズ全長      373.88    373.88    373.88  
BF               50.05     50.05     50.05  
d18               1.48     46.35     68.70  
d27              60.21      9.20      4.89  
d30              13.70     19.84      1.80  
入射瞳位置      211.93    558.83   1114.23  
射出瞳位置    -2957.44  -2957.44  -2957.44  
前側主点位置    270.73    728.06   1531.10  
後側主点位置     -9.95   -129.95   -449.95  
ズームレンズ群データ
群  始面    焦点距離  レンズ構成長  前側主点位置  後側主点位置
1    1     171.83       101.64        21.10        -64.66
2   19     -31.61        23.01         0.83        -16.86
3   28     -89.34         5.20        -0.68         -3.52
4   31     121.24       118.59       115.94       -302.88
単レンズデータ
レンズ  始面  焦点距離
1       1    372.69
2       3    520.22
3       5    282.56
4       7   -308.89
5       9   -242.85
6      11    259.64
7      13    1292.48
8      15   -246.40
9      17    212.22
10      19    -34.64
11      21    -62.09
12      22     42.50
13      24    -48.55
14      26    104.94
15      28    -46.63
16      29     99.64
17      32    102.79
18      34     68.11
19      35   -103.46
20      37     75.49
21      39    -42.50
22      40     45.82
23      42     35.66
24      43    -18.89
25      45    161.54
26      47   -309.34
27      49     88.06
フォーカス移動量（20ftにおける）
δ12ａ      -3.1423
δ12ｂ      -4.1630
【００８１】
【表１】
0006646244.tif 000003
【符号の説明】
【００８２】
Ｕ１  第１レンズ群      Ｕ２  第２レンズ群      Ｕ３  第３レンズ群
Ｕ４  第４レンズ群      Ｕ５  第５レンズ群      Ｕ１１  第１１群
Ｕ１２  第１２群    Ｕ１２ａ  第１２ａ群      Ｕ１２ｂ  第１２ｂ群
ＳＰ  開口絞り      ＬＶ  変倍系      ＬＲ  後レンズ群
【図１】
0006646244.tif 000004
【図２】
0006646244.tif 000005
【図３】
0006646244.tif 000006
【図４】
0006646244.tif 000007
【図５】
0006646244.tif 000008
【図６】
0006646244.tif 000009
【図７】
0006646244.tif 000010
【図８】
0006646244.tif 000011
【図９】
0006646244.tif 000012
【図１０】
0006646244.tif 000013
【図１１】
0006646244.tif 000014
【図１２】
0006646244.tif 000015
【図１３】
0006646244.tif 000016